(57)【特許請求の範囲】
【請求項１】
信号レベルに応じて一端から順次点灯して表示する際に、信号レベルを複数の単位表示部を用いて表示する信号レベル表示装置であって、
所定のスレショルドレベルを示すための信号レベルを表示する第１の色を発色する第１の単位表示部と、
前記第１の単位表示部を表示する信号レベルの最上位レベルより高い信号レベルに対応して第２の色を発色する第２の単位表示部と、
前記第２の単位表示部より高位のレベル表示位置にありながら、前記第１の単位表示部の最上位レベルを表示する第１の単位表示部と同一のレベルで且つ同一の色を発色する単位表示部とを備え、
前記第２の単位表示部による第２の色の発色で信号レベルを表示する際に、当該第２の色の両側に前記第１の色を発色するように構成したことを特徴とする信号レベル表示装置。
【請求項２】
請求項１のレベル表示装置を複数組用い、それぞれ特定の周波数範囲の信号レベルを表示するものである信号レベル表示装置。
【発明の詳細な説明】
【０００１】
【発明の属する技術分野】
本発明は信号レベルを複数の表示素子または複数の単位表示部を複数個有する表示部を用いて可視的に表示する信号レベル表示装置に関する。
【０００２】
【従来の技術】
オーディオ増幅器の出力信号、録音レベル、または帯域フイルタで分割された複数の帯域のそれぞれのレベルを表示するスペクトラムアナライザ等の信号レベルを表示する方法には、針が動いてレベルを示す方法のほかに光ダイオード等の表示素子を多数個配列し、信号レベルに応じて一端から順次点灯していくもの、また複数の放電表示素子を持った、たとえば蛍光表示管の各表示素子を信号レベルに対応して順次点灯して表示するもの等がある。この場合図３に示す蛍光表示管のように、たとえば表示部２０の白色の表示素子１１ないし１６を信号レベルに応じて端から順次点灯していき、ある信号レベルを超えると点灯の色を変え、たとえば赤色の表示素子１７，１８を点灯させるなどして、過大な信号レベルになったことを警告するものが一般的であった。
【０００３】
【発明が解決しようとする課題】
業務用の機器等においてはレベル表示器の目的はレベルの監視が第一であり、意匠的な配慮はあまり求められていないが、一般需要者向きの機器としては表示装置にも機器デザインの一環としてファッション性が強く求められている。このため表示装置も各素子が異なった色で発色できる機能を持つことから、レベルに応じて異なった発光をするように配列して表示装置を含めたトータルなデザインが考慮されつつある。この場合多数の色を段階的に用いることから、色によっては目だちにくく、レベルが変化したことを十分に認知しにくい場合もあった。
【０００４】
本発明はこのような最近の機器デザインへの要請に応え、デザイン性もあり、かつレベル変化に応じて色の変化を目立ちやすくしてレベル変化を認知しやすくした信号レベル表示器を提供することを目的とする。
【０００５】
【課題を解決するための手段】
上記目的を達成するために本発明の信号レベル表示装置は、請求項１において、信号レベルに応じて一端から順次点灯して表示する際に、信号レベルを複数の単位表示部を用いて表示する信号レベル表示装置であって、所定のスレショルドレベルを示すための信号レベルを表示する第１の色を発色する第１の単位表示部と、前記第１の単位表示部を表示する信号レベルの最上位レベルより高い信号レベルに対応して第２の色を発色する第２の単位表示部と、前記第２の単位表示部より高位のレベル表示位置にありながら、前記第１の単位表示部の最上位レベルを表示する第１の単位表示部と同一のレベルで且つ同一の色を発色する単位表示部とを備え、前記第２の単位表示部による第２の色の発色で信号レベルを表示する際に、当該第２の色の両側に前記第１の色を発色するように構成したものとなっている。
【０００６】
本発明はこのような構成により、入力信号レベルが第１の信号レベルから第２の信号レベルに上昇した際に、第１の色を発色する複数の第１の単位表示部に挟まれる形で第２の色を発色する第２の単位表示部が点灯するので、第２の色が端にあるよりもコントラストが高くなって第２の単位表示部の点灯がより目立つという作用効果を得ることができる。
【０００９】
また本発明の請求項２は、請求項１のレベル表示装置を複数組用い、それぞれ特定の周波数範囲の信号レベルを表示する構成であり、この構成によって請求項１の作用効果を持ったスペクトラムアナライザーを提供することができる。
【００１０】
【発明の実施の形態】
（第１の実施形態）
図１に本発明の第１の実施形態の信号レベル表示装置の表示部の平面図を示す。本実施形態においては、一般にこのような用途に多く用いられている蛍光表示管の場合を例示し、その個々の単位表示部としての各セグメントは蛍光表示管外部に引き出された引出し線に接続されており、入力信号を整流したＤＣレベルをアナログ−デジタル変換した後、複数ステップの所定の参照値と比較してその何れのスレショルドレベルに達したか、または超えているかを判断して、そのスレショルドレベルに対応するセグメントを点灯させる。
【００１１】
表１はこの各セグメントに対応するＤＣ入力信号電圧の各ステップ対応のスレショルドレベルの一例を示す。一般に信号入力は交流であり、信号処理のためにこれを整流して直流電圧を得て、さらにアナログ−デジタル変換した後に所定の各ステップに対応したスレショルドレベルと対比して、入力信号がどのステップに達したか、またはそれを超えたかを判断して対応する単位表示部または表示素子を点灯させるのであるが、ここまでの手段は公知のものであるからその詳細な説明は省略する。
【００１２】
蛍光表示管によって形成される表示部１０において符号１はスレショルドレベル１に対応して点灯する緑色のセグメント、符号２はスレショルドレベル２対応の青色のセグメント、符号３Ａおよび３Ｂはスレショルドレベル３対応の青色のセグメントで３Ａと３Ｂとは共に同じスレショルドレベルで点灯されるように接続されている。
【００１３】
４Ａと４Ｂとはスレショルドレベル４対応の青色セグメント、５は黄色、６，７はオレンジ色、８は赤色でそれぞれスレショルドレベル５，６，７，８に対応して点灯するセグメントである。
【００１４】
このように構成され、つぎにその動作を表１を併用して説明する。
【００１５】
【表１】
0003658943.tif 000002
【００１６】
信号レベル表示装置の信号入力が整流され、そのＤＣ入力電圧がステップ１のスレショルドレベル対応の０．２４Ｖに達し、またはそれを超えると、図１の表示部１０の緑のセグメント１が点灯する。つぎにＤＣ入力電圧がステップ２の０．３５Ｖに達し、またはそれを超えると青のセグメント２が点灯し、セグメント１は引続き点灯している。そして光の柱が上方に伸びたことによって入力信号レベルが伸びたことが示される。ステップ３の０．５４ＶのＤＣ入力電圧に達しまたはそれを超えると、青のセグメント３Ａ，３Ｂが点灯する。ＤＣ入力電圧がステップ４の０．８３Ｖに達し、またはそれを超えるとセグメント５を挟んだ青のセグメント４Ａ，４Ｂが点灯する。それ以下のレベルで点灯するセグメントは点灯したままであることは以下も同様である。
【００１７】
つぎにＤＣ入力電圧がステップ５の１．０３Ｖに達し、またはそれを超えると、黄色のセグメント５が点灯する。今まではセグメントは入力ＤＣ電圧の上昇に比例して上方へ伸びていたが、ここですでに点灯していた青色のセグメント４Ａと４Ｂに挟まれる形で点灯する。もし黄色のセグメント５が青色のセグメント４Ｂの上方に位置していれば、黄色が目立ちにくいが、上下両側に青色のセグメントがあることによってコントラストが高まり、黄色が点灯したことが目立ち、光の柱が上方に伸びなくても入力信号レベルが上昇したことが明瞭に表示できることとなる。
【００１８】
同様に入力信号レベルがステップ６の１．９０Ｖ、ステップ７の３．００Ｖにそれぞれ達し、または超えたとき、オレンジ色のセグメント６，７がそれぞれ点灯する。そうして入力信号レベルが４．５Ｖに達し、または超えたときにオレンジ色のセグメント６，７に挟まれた赤色のセグメント８が点灯する。この場合も黄色のセグメント５の場合と同様、光の柱は上方には伸びないがオレンジ色のセグメント６，７に挟まれることによって赤色のセグメント８が、より目立つことにより非常に高い入力信号レベルが入ったことを強く印象づけることができる。
【００１９】
このように本実施形態においては、単位表示部としてのセグメントが、ステップ１の緑色のセグメント、ステップ２，３，４の青色のセグメントと、光の柱が入力信号を整流したＤＣ電圧に対応して伸びて行き、ステップ５の黄色のセグメントが点灯するときは、さきに点灯した第１の信号レベルに対応して第１の色である青色を発色するステップ４の複数のセグメントに挟まれる形で点灯し、光の柱は伸びないが青色のセグメントに挟まれていることによって第２の色である黄色を発色するセグメント５が点灯したことがより目立ち、入力信号レベルの上昇を印象づけることができる。
【００２０】
また同様に、単位表示部としてのセグメントが、ステップ６，７が第１の信号レベルで第１の色がオレンジ色であるとすると、オレンジ色を発光するセグメント６から７へと光の柱が伸びて行き、さらに高い信号入力に対応の第２の色のステップ８の赤色のセグメントが点灯するときは、さきに点灯したセグメント６，７のオレンジ色のセグメントに挟まれる形で点灯し、光の柱は伸びないがオレンジ色のセグメントに挟まれていることによって第２の色である赤色がより目立ち、入力信号レベルのさらなる上昇を印象づけることができる。
【００２１】
（第２の実施形態）
本実施形態の信号レベル表示装置の表示部を示す平面図の図２において第１の実施形態の図１と異なるのは、表示部１０Ａのステップ５に対応するセグメントが５Ａと５Ｂの複数のブロックに分かれ、黄色のセグメント５Ａは、ステップ４に対応する青色のセグメント４Ａ，４Ｂに挟まれているが、セグメント５Ａと同じステップの黄色のセグメント５Ｂはセグメント４Ｂの上方に位置することである。
【００２２】
同様に、ステップ８に対応する赤色のセグメントが８Ａと８Ｂの複数のブロックに分かれ、セグメント８Ａは、ステップ６に対応するオレンジ色のセグメント６、ステップ７に対応するオレンジ色のセグメント７に挟まれているが、セグメント８Ａと同じステップの赤色のセグメント８Ｂはセグメント７の上方に位置することである。
【００２３】
本実施形態により、黄色のセグメント５Ａは青色のセグメント４Ａと４Ｂに挟まれることによって色のコントラストが強くなり、存在が目立つとともに、セグメント５Ａと同じレベルに対応する黄色のセグメント５Ｂにより光の柱も伸長して、両方相まってレベル上昇を強く印象づけることができる。
【００２４】
また同様に赤色のセグメント８Ａはオレンジ色のセグメント６と７に挟まれることによって色のコントラストが強くなり、存在が目立つとともにセグメント８Ａと同じレベルに対応する赤色のセグメント８Ｂにより光の柱も伸長して、これもレベル上昇を強く印象づけるのに役立つ。
【００２５】
なお上記各実施形態におけるステップ数や各ステップ対応のセグメントの数やそれに対応する色、各ステップに対応したＤＣ信号入力レベルの数値は一例であり、黄色や赤色のセグメントの各ブロックは複数のセグメントが連続してもよく、任意に設定できることはいうまでもなく、また実際の入力信号レベルを分圧して、または増幅して本装置に入力してもよいのは当然である。
【００２６】
また本実施例では表示部に蛍光表示管を用いるものとして説明したが、表示部には同様の異なった複数の色の単位表示部を入力信号に対応して発光させることのできる表示手段、たとえば液晶装置やプラズマディスプレイ等を用いてもよく、またブラウン管を用いて等価的に表示してもよい。また異なった色を発光する単体の表示素子である発光ダイオード等を複数個組み合わせて用いてもよい。
【００２７】
さらに各実施形態のレベル表示装置を２組設けてステレオの左右のレベルを表示させ得ることは当然であり、また複数組設けて、それぞれに異なった帯域フイルタを通した後の信号を印加してスペクトルアナライザーを構成してもよく、その場合複数の表示装置を平行に列べるだけでなく中心に対して放射状に配列することによりレベル変化によって表示された図形が信号周波数の変化に応じて様々に変化するのを楽しめる等の変形も可能である。
【００２８】
【発明の効果】
以上説明したように本発明の信号レベル表示装置は、信号レベルに応じて一端から順次点灯して表示する際に、信号レベルを複数の単位表示部を用いて表示する信号レベル表示装置であって、所定のスレショルドレベルを示すための信号レベルを表示する第１の色を発色する第１の単位表示部と、前記第１の単位表示部を表示する信号レベルの最上位レベルより高い信号レベルに対応して第２の色を発色する第２の単位表示部と、前記第２の単位表示部より高位のレベル表示位置にありながら、前記第１の単位表示部の最上位レベルを表示する第１の単位表示部と同一のレベルで且つ同一の色を発色する単位表示部とを備え、前記第２の単位表示部による第２の色の発色で信号レベルを表示する際に、当該第２の色の両側に前記第１の色を発色するように構成したことによって、入力信号レベルが第１の信号レベルから第２の信号レベルに上昇した際に、第１の色を発色する複数の単位表示部に挟まれる形で第２の色を発色する第２の単位表示部が点灯するので、第２の色が端にあるよりもコントラストが高くなって第２の単位表示部の点灯がより目立つという効果を得ることができる。
【００２９】
また本発明の請求項２の構成によって、入力信号レベルが第１の信号レベルから第２の信号レベルに上昇した際に、第１の色を発色する複数の単位表示部に挟まれる形で第２の色を発色する第２の単位表示部が点灯して、第２の色のコントラストが高くなって第２の単位表示部の点灯がより目立つことと、第１の単位表示部に挟まれていない第２の単位表示部によって光の柱が伸長することの両方によってレベルが上昇したことを明瞭に表示するという効果を得ることができる。
【００３０】
また本発明の請求項２の構成によって請求項１の作用効果を持ったスペクトラムアナライザーを構成することもできる。
【図面の簡単な説明】
【図１】本発明の第１の実施形態の信号レベル表示装置の表示部を示す平面図
【図２】同じく第２の実施形態の信号レベル表示装置の表示部を示す平面図
【図３】従来の信号レベル表示装置の表示部を示す平面図
【符号の説明】
１  緑色のセグメント
２，３Ａ，３Ｂ，４Ａ，４Ｂ  青色のセグメント
５，５Ａ，５Ｂ  黄色のセグメント
６，７  オレンジ色のセグメント
８，８Ａ，８Ｂ  赤色のセグメント
１０，１０Ａ  表示部
【図１】
0003658943.tif 000003
【図２】
0003658943.tif 000004
【図３】
0003658943.tif 000005